(57)【特許請求の範囲】
【請求項１】
互いに接離可能な電極から成る接点を、絶縁性ガスが充填された絶縁物製の容器内に設けた開閉装置が、複数装備された複合型ガス絶縁開閉装置において、
複数の前記開閉装置は、それぞれ共通の導電物製の導電容器に対して接続され、
前記導電容器は、絶縁物製の絶縁構造物によって支持されるとともに、
前記絶縁構造物は、導電物製の支持構造物によって支持され、
前記絶縁構造物には互いに接離可能な固定電極及び可動電極を有する接地装置が配設されている、
ことを特徴とする複合型ガス絶縁開閉装置。
【請求項２】
複数の前記開閉装置のうち少なくとも一つは、断路器であることを特徴とする請求項１記載の複合型ガス絶縁開閉装置。
【請求項３】
複数の前記開閉装置のうち少なくとも一つは、遮断器であることを特徴とする請求項１又は請求項２記載の複合型ガス絶縁開閉装置。
【請求項４】
前記接地装置の
前記固定電極は、前記導電容器に固定され、
前記可動電極は、前記支持構造物に対して摺動且つ通電可能に設けられていることを特徴とする請求項１乃至３のいずれか１項に記載の複合型ガス絶縁開閉装置。
【請求項５】
前記可動電極は、前記絶縁構造物の外部に設けられていることを特徴とする請求項４記載の複合型ガス絶縁開閉装置。
【請求項６】
前記可動電極は、開状態において、その一部が前記支持構造物の内部に収納可能に設けられていることを特徴とする請求項４又は請求項５記載の複合型ガス絶縁開閉装置。
【請求項７】
前記支持構造物には、前記可動電極を摺動可能に保持する摺動部が設けられ、
前記摺動部と前記可動電極との間には、水密を保つ密封部材が設けられ、
前記摺動部の上部には、水を外部へ排出する排出部が設けられていることを特徴とする請求項４乃至６のいずれか１項に記載の複合型ガス絶縁開閉装置。
【請求項８】
前記可動電極及び前記固定電極が、前記絶縁構造物の内部に設けられていることを特徴とする請求項４記載の複合型ガス絶縁開閉装置。
【請求項９】
前記接地装置は、互いに接離可能な固定電極及び可動電極を有し、
前記固定電極は、前記導電容器に固定され、
前記絶縁構造物は、導電物製の支持構造物によって支持され、
前記可動電極の一端は、前記支持構造物に対して回動且つ通電可能に設けられていることを特徴とする請求項１乃至３のいずれか１項に記載の複合型ガス絶縁開閉装置。
【発明の詳細な説明】
【０００１】
【発明の属する技術分野】
本発明は、絶縁性ガスを充填した容器内にスイッチ類を備えたガス絶縁開閉装置に係り、特に、電力用のスイッチ類を複数含んだ複合型ガス絶縁開閉装置に関する。
【０００２】
【従来の技術】
絶縁性ガスを充填した容器内に、遮断器、断路器、接地装置等の多数のスイッチ類（開閉装置）を構成した複合型ガス絶縁開閉装置は、従来から種々のものが知られている。その中で、代表的なものの一例として、米国特許５８４１０８７号において開示された複合型ガス絶縁開閉装置を、図８を参照して説明する。すなわち、この複合型ガス絶縁開閉装置においては、ＳＦ６ガスなどの絶縁性ガスを充填した接地金属容器２内に、断路装置１が収納されている。
【０００３】
この断路装置１においては、接点を形成する固定電極３，４が、接地金属容器２に形成されたフランジ５，６に対して、絶縁スペーサを介して固定されている。また、接地金属容器２に形成されたフランジ７には、接地金属容器２と電気的に接続された固定電極８が固定されている。これらの固定電極３，４，８と対を成す円柱状の可動電極１２，１３，１４によって、それぞれ接点１５，１６，１７が構成されている。可動電極１２，１３，１４は、電気的及び通電的に、金属容器１８及び図示しない摺動接触子によって電流端子１１に接続されている。そして、電流端子１１は、図示しない別の装置、例えば遮断器に接続されている。主母線の導体は、固定電極３，４にそれぞれ接続されている。従って、接点１５，１６は主母線選択断路器の役割を果たす。また、固定電極８は接地電位であるので、接点１７は接地装置となる。
【０００４】
可動電極１２，１３，１４を駆動する駆動機構１９は、接地金属容器２の内部における絶縁性ガスの気密を保つように設置された駆動軸１０、駆動軸１０の回転に伴い直線状往復運動をするカム２０，２１、図示しないカム及びその各カムに作用するレバーによって構成されている。この駆動機構１９は、可動電極１２，１３，１４のそれぞれに接続され、駆動軸１０の回転駆動力を可動電極１２，１３，１４に伝達する役割を有している。
【０００５】
【発明が解決しようとする課題】
しかしながら、上述のような従来の複合型ガス絶縁開閉装置においては、２つの断路器としての役割を果す接点１５，１６が、同一の接地金属容器２の内部に設けられ、可動電極１２，１３，１４が共通の駆動機構１９によって駆動されるように構成されている。このため、一方の断路器が故障したとき、その故障した断路器のみを取りかえることはできず、両方の断路器を同時に取り替える必要が生じる。このため、取り替えに必要なコストが増大する。
【０００６】
また、取り替えの際には、現地にて分解組立を実施しなければならず、取り替えに要する時間が長くなる。一方、遮断器を含むこの装置全体を取り替える方法を取った場合、大きな装置を組み立てた状態で運搬することになるため、多大な費用を必要とする。
【０００７】
また、上述の従来技術では、２つの断路器として機能する接点１５，１６が、同一のガス区画に配設されているので、接点１５，１６間にガス区分が無く、この状態で、各接点１５，１６が２重母線に他の接点を介することなく接続される。このような構成においては、たとえば、一方の母線に雷撃があって断路装置部に進入し、この断路装置部で絶縁破壊が発生して地絡した場合、このガス区画に、他の接点を介することなく接続されている全ての系が送電不可能になる。このように２重母線の両方が停止すると、一方の母線が送電不能となっても他方の母線で送電を可能とするという２重母線本来の目的を果せなくなる。
【０００８】
本発明は、以上のような従来技術の問題点を解決するために提案されたものであり、その主たる目的は、一つの接点が故障した場合の取り替えに必要な費用を最小とするのみならず、取り替えに要する時間を最小にすることができ、安価な複合型ガス絶縁開閉装置を提供することにある。
また、本発明の他の目的は、２重母線構成の送電系に対して、その本来の意味を損なうことなく適用することができる複合型ガス絶縁開閉装置を提供することにある。
【０００９】
【課題を解決するための手段】
上記の目的を達成するため、本発明は、互いに接離可能な電極から成る接点を、絶縁性ガスが充填された絶縁物製の容器内に設けた開閉装置が、複数装備された複合型ガス絶縁開閉装置において、以下のような技術的特徴を有する。
【００１０】
すなわち、請求項１の発明は、複数の前記開閉装置は、それぞれ共通の導電物製の導電容器に対して接続され、前記導電容器は、絶縁物製の絶縁構造物によって支持されるとともに、前記絶縁構造物は、導電物製の支持構造物によって支持され、前記絶縁構造物には互いに接離可能な固定電極及び可動電極を有する接地装置が配設されていることを特徴とする。以上のような請求項１の発明では、絶縁物製の容器に構成された開閉装置は、それぞれ容易に導電容器から切離し、また接続することができるので、いずれか１つの開閉装置が故障したときであっても、その装置のみを取り替えることが極めて容易となる。従って、取り替えに要する時間を短くできるとともに、取り替えにかかる費用を安価にすることができる。また、接地装置によって、導電容器を適宜大地の電位に接地できるので、取り替え作業を安全に実施することができる。また、高電圧となる電極の接地電位からの絶縁は、絶縁構造物によって実施されるので、各開閉装置の対地絶縁を考慮する必要がなく、安価な装置を構成できる。
【００１１】
請求項２の発明は、請求項１の複合型ガス絶縁開閉装置において、複数の前記開閉装置のうち少なくとも一つは、断路器であることを特徴とする。
以上のような請求項２の発明では、変電所の機器は、その構成の特性上、断路器を含む場合が殆どであることから、少数の複合型ガス絶縁開閉装置を組み合せることにより、どのような変電所の構成にも適用可能となる。
【００１２】
請求項３の発明は、請求項１又は請求項２記載の複合型ガス絶縁開閉装置において、複数の前記開閉装置のうち少なくとも一つは、遮断器であることを特徴とする。
以上のような請求項３の発明では、変電所の機器は、その構成の特性上、遮断器を含む構成が次に多いことから、少数の複合型ガス絶縁開閉装置を組み合せることにより、どのような変電所の構成にも適用可能となる。例えば、２重母線に接続される様々な機器の基本的な構成と同様とすることができるなど、応用範囲が広くなるとともに、必要な複合型ガス絶縁開閉装置の数を最少限とすることができる。
【００１３】
請求項４の発明は、前記接地装置は、互いに接離可能な固定電極及び可動電極を有し、前記固定電極は、前記導電容器に固定され、前記絶縁構造物は、導電製の支持構造物によって支持され、前記可動電極は、前記支持構造物に対して摺動且つ通電可能に設けられていることを特徴とする。以上のような請求項４の発明では、可動電極を固定電極に接するまで摺動させることによって、各開閉装置を支持する導電容器を直接接地できる。また、接地時に、異常過電流が可動電極に流れた場合であっても、支持構造物によって支持されていることから、電磁力により変形したり変位したりすることがなく、信頼性を保つことができる。
【００１４】
請求項５の発明は、請求項４記載の複合型ガス絶縁開閉装置において、前記可動電極は、前記絶縁構造物の外部に設けられていることを特徴とする。
以上のような請求項５の発明では、可動電極が絶縁構造物の外側に設けられているので、接地状況を直接作業員の目で確認できる。従って、うっかりして接地が取れていない状態で、点検作業や故障開閉装置の取り替え作業をしてしまうといった事態を防止できるので、安全な作業が可能となる。
【００１５】
請求項６の発明は、請求項４又は請求項５記載の複合型ガス絶縁開閉装置において、前記可動電極は、開状態において、その一部が前記支持構造物の内部に収納可能に設けられていることを特徴とする。
以上のような請求項６の発明では、接地装置が開の状態では、可動電極が支持構造物の内部に収納され、雨などの自然の天候に影響を受けないので、可動電極の錆びやごみの付着等が防止され、信頼性が高まる。
【００１６】
請求項７の発明は、請求項４乃至６のいずれか１項に記載の複合型ガス絶縁開閉装置において、前記支持構造物には、前記可動電極を摺動可能に保持する摺動部が設けられ、前記摺動部と前記可動電極との間には、水密を保つ密閉部材が設けられ、前記摺動部の上部には、水を外部へ排出する排出部が設けられていることを特徴とする。
以上のような請求項７の発明では、大気に晒される接地装置の可動電極端部が雨に当った場合であっても、密閉部材によって雨水が間隙から侵入せず、可動電極全体が濡れることが防止され、また、排出部によって雨水が排出され、可動電極端部に雨水が滞留しないので、信頼性が高まる。
【００１７】
請求項８の発明は、請求項４記載の複合型ガス絶縁開閉装置において、前記可動電極及び前記固定電極が、前記絶縁構造物の内部に設けられていることを特徴とする。
以上のような請求項８の発明では、接地装置の可動電極及び固定電極が、大気に晒されることがなくなるので、信頼性が高まる。
【００１８】
請求項９項記載の発明は、請求項１乃至３のいずれか１項に記載の複合型ガス絶縁開閉装置において、前記接地装置は、互いに接離可能な固定電極及び可動電極を有し、前記固定電極は、前記金属容器に固定され、前記絶縁構造物は、金属製の支持構造物によって支持され、前記可動電極の一端は、前記支持構造物に対して回動且つ通電可能に設けられていることを特徴とする。
以上のような請求項９の発明では、可動電極を摺動させるための構造が不要となるので、構成が単純化され、より安価な装置を提供できる。また、摺動部分やその隙間からの汚損や、雨水の侵入に対して強い構造となる。
【００２１】
【発明の実施の形態】
１．第１の実施の形態
（構成）
本発明の第１の実施の形態を、図１及び２を参照して説明する。なお、図１は、本実施の形態による複合型ガス絶縁開閉装置の全体構成を示す略断面図、図２は、図１におけるＡ部の詳細を表す接地装置の可動電極と通電摺動電極収納ケースの断面図である。
【００２２】
すなわち、図１に示すように、本実施の形態の複合型ガス絶縁開閉装置３０は、２つの断路器３９，４０と、１つの遮断器４３を備えている。２つの断路器３９，４０は、固定電極３１，３２及び可動電極３３，３４によって構成される断路器接点３５，３６を、それぞれ異なる絶縁物製の容器（以下、「絶縁容器」という）３７，３８に収納したものである。遮断器４３は、１つの絶縁容器４２に遮断器接点４７を収納したものである。
【００２３】
これらの断路器３９，４０及び遮断器４３の各一端は、それぞれ外部端子４４，４５，４６介して外部に接続される。また、断路器３９，４０及び遮断器４３の各他端は、金属容器４９に対して以下のように連結されている。すなわち、金属容器４９は、例えば、断面が円形であり、周囲に複数のフランジ面が形成されている。そして、例えば、隣接する上側の三つのフランジ面に、絶縁容器３７，３８，４２が取り付けられている。金属容器４９には、断路器接点３５，３６及び遮断器接点４７とそれぞれ連動する駆動機構４８が収納されている。なお、金属容器４９は、請求項の導電容器に対応するものであり、電流の通路となる。
【００２４】
２つの断路器３９，４０の絶縁容器３７，３８は、それぞれ金属容器４９に対し、隔壁５４，５５を介してそれぞれ遮蔽され、遮断器４３側の空間とはガス区画された構成となっている。また、遮断器４３は、金属容器４９に対して、断路器３９，４０の外側に位置しており、この遮断器４３の絶縁容器５０と金属容器４９とは、同一ガス区画に属するように構成されている。
【００２５】
一方、金属容器４９の他のフランジ面、例えば、下側のフランジ面は、その一端が接地電位である直立配置の絶縁容器５０によって支持されている。この絶縁容器５０は、請求項の絶縁構造物に対応するものである。そして、絶縁容器５０には、その接地電位側を支持する機構箱４１が接続されている。機構箱４１は、請求項の支持構造物に対応する金属製の箱であり、その内部には図示しない操作機構が設けられ、絶縁容器５０内を貫通して設けられた図示しない操作棒によって、駆動機構４８と操作機構とが連結されている。
【００２６】
また、絶縁容器５０の外側には、固定電極５７及び可動電極５８を有する接地装置５６が配設されている。固定電極５７は、金属容器４９の外面に固定され電気的に接続されている。可動電極５８は、図２に示すように、請求項に記載の摺動部に対応する通電摺動電極収納ケース５９内を、摺動可能に保持されるとともに、機構箱４１内に収納可能に設けられている。通電摺動電極収納ケース５９と可動電極５８との間には、水密を保つ密閉部材であるパッキン６０ａ，６０ｂが設けられ、通電摺動電極収納ケース５９の上部端面には、滴下した水を排出する排出部である切り欠き６１が設けられている。通電摺動電極収納ケース５９内には、可動電極５８と通電機能を有する通電摺動電極６２ａ，６２ｂ，６２ｃが、保持収納されている。また、通電摺動電極収納ケース５９は、絶縁容器５０の下部に固定され、機構箱４１に接続されている。
【００２７】
（作用）
以上のような構成を有する本実施の形態の作用を、以下に説明する。すなわち、本実施の形態は、絶縁容器５０により接地側と絶縁されていることから、通常の運用では、電流が外部端子４４，４５を通じて断路器接点３５，３６を流れ、金属容器４９、遮断器接点４７を介して、外部端子４６より外部に通電する。そして、一般的な接続形態を採用すると、１つの断路器３９の外部端子４４は、２重母線の一方の母線に接続され、別の断路器４０の外部端子４５は、他の母線に接続される。さらに、遮断器４３の外部端子４６は、送電線などのライン回線や変圧器などのバンク回線に接続される。
【００２８】
従って、各断路器３９，４０の開閉状態を調節することにより、外部端子４６に接続されたライン回線やバンク回線に接続される母線を選択することができる。電路の遮断、断路等の操作を行なう場合には、操作機構によって駆動される操作棒を介して、金属容器４９内の駆動機構４８を作動させ、各接点３５，３６，４７の開放を実施する。このような各接点３５，３６，４７の開放動作後は、各絶縁容器３７，３８，４２により、外部端子４４，４５，４６と金属容器４９とが絶縁される。
【００２９】
そして、可動電極３３，３４と、金属容器４９内に収納されている駆動機構４８との接続を切り離すことにより、ガス気密を保ったままで、容易に断路器３９，４０を金属容器４９から取り外すことができる。このような切り離し作業を行なうことができるので、金属容器４９に断路器３９，４０を取り付ける作業も容易となる。同様に、遮断器４３も、金属容器４９内に収納されている駆動機構４８との接続を切り離すことによって、金属容器４９から容易に取り外し、取り付けることができる。
【００３０】
また、上記のように、２重母線に接続されるライン回線、バンク回線等の基本構成を採った場合には、例えば、一方の母線に雷撃があって断路器３９，４０等の開閉装置のいずれか一方に進入することにより、絶縁破壊とともに閃絡が生じても、他方の開閉装置はガス区画が異なることから健全性が保持され、送電系は生き続ける。従って、２重母線の両方が停止する事態にはならない。
【００３１】
また、複合型ガス絶縁開閉装置３０の点検時等には、接地装置５６における可動電極５８を、機構箱４１に収納された状態から固定電極５７に接する位置まで摺動させることによって、金属容器４９の接地を行なう。このとき、断路器３９，４０及び遮断器４３を支持している金属容器４９は、接地装置５６によって直接接地でき、また接地時に異常過電流が可動電極５８に流れた場合であっても、可動電極５８の摺動方向は電磁力の働く方向とは直角方向であり、しかも、強固な構造物に保持されていることから、電磁力により可動電極５８が外れたり、変形したり、変位したりすることがない。
【００３２】
さらに、接地装置５６が開の状態では、可動電極５８が機構箱４１の内部に収納されるので、雨などの自然の天候に影響を受けない。また、接地装置５６が開の状態であっても、可動電極５８の先端部は大気に晒されることになるが、この先端部が雨に当っても、水密を保つパッキン６０ａ，６０ｂによって、雨水が侵入することが防止されるので、可動電極５８全体が濡れることはなく、切り欠き６１によって雨水の排出が促進されるので、可動電極５８先端部に雨水が滞留することもなくなる。
【００３３】
（効果)
以上のような本実施の形態によれば、開閉装置である断路器３９，４０及び遮断器４３は、それぞれ絶縁容器３７，３８，４２によって、容易に金属容器４９から切り離し、また接続することができるので、１つの開閉装置が故障したときであっても、その装置のみを取り替えることが極めて容易となる。従って、取り替えに要する時間を短くできるとともに、取り替え作業コストの低減が図れる。
【００３４】
また、接地電位からの高電圧電極の絶縁は、金属容器４９を保持する絶縁容器５０によって実施される。従って、断路器３９，４０及び遮断器４３の対地絶縁構造を、それぞれ個別に考慮する必要がなく、全体として安価な複合型ガス絶縁開閉装置を提供することができる。
【００３５】
また、断路器３９，４０及び遮断器４３を操作するための絶縁棒は、絶縁性ガスが充填された絶縁容器５０内に設置されている。従って、接地電位側の操作機構から短い長さの絶縁棒により、高電位に設置された可動電極３３，３４を駆動することができる。
【００３６】
また、上記のように２重母線に接続されるライン回線、バンク回線等の基本構成を採った場合、この部分がガス絶縁により縮小化されるので、変電所全体が大幅に縮小化される。そして、一方の母線が送電不能となっても、他方の母線で送電を可能とする様に構成された２重母線構成の意味を損なうことがないので、例えば、母線選択の用途に適用できる複合型ガス絶縁開閉装置とすることができる。特に、変電所の構成機器として、典型的な断路器及び遮断器を含んでいるので、少数の複合型ガス絶縁開閉装置を組み合わせることによって、種々の変電所に適応することができ、設置スペースやコストを節約することができる。
【００３７】
また、いずれかの開閉装置の絶縁が破れて閃絡が発生した場合においても、他の機器の健全性が保たれるため、不具合が発生した開閉装置のみを取り替えればよく、現地への交換品の輸送を含めて経済的であり、しかも交換までの時間を短縮することができる。
【００３８】
このとき、金属容器４９は接地装置５６により大地の電位に接地できるので、安全に取り替え作業が実施できる。特に、接地時に異常過電流が可動電極５８に流れた場合でも、可動電極５８の外れ、変形、変位が防止されるので、信頼性の高い接地が可能となり、作業の安全性が向上する。
【００３９】
そして、接地装置５６は、絶縁容器５０の外側に設けられているので、接地装置５６の状況を直接作業員の目で確認できる。従って、うっかりして接地が取れていない状態で点検作業や故障開閉装置の取り替え作業をしてしまうことが防止され、安全な作業が可能となる。さらに、接地装置５６が開の状態では、可動電極５８が雨等の天候に影響を受けないので、錆びたり、ごみ等が付着したりすることがなく、信頼性がより一層向上する。
【００４０】
２．第２の実施の形態
（構成）
本発明の第２の実施の形態を、図３を参照して説明する。なお、図３は本実施の形態による複合型ガス絶縁開閉装置の全体構成を示す略断面図である。すなわち、金属容器４９下部における絶縁容器５０の内部には、接地装置５６の固定電極５７が固定されている。接地装置５６の可動電極５８は、機構箱４１上部における絶縁容器５０の内部に固定された通電摺動電極収納ケース５９内を、摺動可能に保持されるとともに、機構箱４１内に収納可能に設けられている。通電摺動電極収納ケース５９と可動電極５８との間には、気密を保つパッキン（図示せず）が設けられている。通電摺動電極収納ケース５９の上端には、切り欠きは設けられていない。その他の構成は、上記の第１の実施の形態と同様である。
【００４１】
（作用効果）
以上のような構成を有する本実施の形態では、接地装置５６の固定電極５７及び可動電極５８が、絶縁性ガスが封入された絶縁容器５０内にあるため、大気の気象状態の影響を受けない。従って、接地装置５６の信頼性が高まり、点検作業や取り替え作業の安全性がより一層向上する。また、大気に晒されることなく、常に最良の状態で金属容器４９を接地することができるので、接地装置５６の状態確認作業を省略することができる。さらに、接地装置５６の極間は絶縁性ガスを充填した空間に位置することになるので、大気中に位置する場合よりも開放時に必要となる極間距離を短くすることができ、これにより接地時に要する時間を短縮できる。
【００４２】
３．第３の実施の形態
（構成）
本発明の第３の実施の形態を、図４を参照して説明する。なお、図４は、本実施の形態による複合型ガス絶縁開閉装置の全体構成を示す概略断面図である。すなわち、金属容器４９の下部における絶縁容器５０の外部には、接地装置５６の固定電極５７が固定されている。接地装置５６における可動電極５８の一端は、機構箱４１に固定され電気的に接続される支点５８を軸として、回転可能に構成されている。その他の構成は、上記の第１の実施の形態と同様である。
【００４３】
（作用効果）
以上のような本実施の形態では、接地装置５６の開放時には、図４に示すように、可動電極５８が固定電極５７から離れる角度に位置している。そして、接地時には、支点５８を軸として、可動電極５８を固定電極５７に接する角度まで回動させる。このような構造とすると、可動電極５８を摺動させるための構造が不要となるので、構成が単純化され、より安価な装置を提供できる。また、可動電極５８が通電を保って長い距離を摺動する機構がなくなることから、摺動部分やその隙間からの汚損や、雨水の侵入がない。さらに、作業員の目による接地状況の確認作業が、より一層容易となるので、点検作業や取り替え作業の安全性が高く、接地に要する時間を短くできる。
【００４４】
４．第４の実施の形態
（構成）
本発明の第４の実施の形態を、図５〜７を参照して説明する。なお、図５は本実施の形態による複合型ガス絶縁開閉装置の全体を示す略断面図、図６は、図５に示すＢ部の詳細を表す拡大断面図、図７は、図５に示すＣ部の詳細を表す拡大断面図である。すなわち、本実施の形態においては、図５及び図６に示すように、断路器３９，４０の絶縁容器３７，３８は、ガス区画を形成する隔壁５４，５５を介して、金属容器４９に接続されている。これらの隔壁５４，５５には、それぞれポリテトラフルオロエチレン材、ナイロン材等の絶縁物から形成された絶縁パイプ６３ａ，６３ｂの一端が接続されており、絶縁容器３７，３８内のガス空間がそれぞれの絶縁パイプ６３ａ，６３ｂ内のガス空間と接続している。
【００４５】
絶縁パイプ６３ａ，６３ｂは、図５及び図７に示すように、金属容器４９を支持する絶縁容器５０の内部を通り、その他端が絶縁容器５０を保持する機構箱４１の内部に導かれている。絶縁パイプ６３ａ，６３ｂにおける機構箱４１の内部に導かれた端部には、ガスバルブ６５ａ，６５ｂ及びガス配管６６ａを介して、ガス密度監視装置６４ａが接続されている。一方、遮断器４３の絶縁容器４２と金属容器４９及び絶縁容器５０の間にはガス区画を形成する隔壁は設置せず、この間にガス区画は形成しない。そして、絶縁容器５０の内部は、ガスバルブ６５ｃ及びガス配管６６ｂを介して、ガス密度監視装置６４ｂが接続されている。なお、その他の構成は、上記の第１の実施の形態と同様である。
【００４６】
（作用効果）
以上のような本実施の形態では、絶縁パイプ６３ａ，６３ｂは、絶縁材から形成されているため、通常高電位となるガス区画を形成する隔壁５４，５５から大地電位である機構箱４１内の空間まで、絶縁性ガスが充填されている空間を問題無く布設することができる。この結果、絶縁パイプ６３ａ，６３ｂ内のガス圧を、接地電位である場所において、ガス密度監視装置６４ａを用いて監視することが可能となる。また、断路器３９，４０のガス処理をする時には、ガスバルブ６５ａ，６５ｂ，６５ｄを利用して、接地電位側の低い位置でガス処理作業ができるようになる。一方、遮断器４３の絶縁容器４２と金属容器４９及び絶縁容器５０の連続したガス空間のガス空間も、上記と同様の位置でガス密度監視装置６４ｂによって監視できるとともに、ガスバルブ６５ｃを利用して、ガス処理作業ができる。従って、大地電位の下で各ガス区画のガス圧力を監視して、ガス処理作業ができるので、安全性及び信頼性が高く、作業コストを安価なものとすることができる。
【００４７】
なお、本発明は上記のような実施の形態に限定されるものではない。例えば、開閉装置の種類や数、使用する絶縁性ガスの種類、各容器の材質、形状等は適宜変更可能である。
【００４８】
【発明の効果】
以上説明したように、本発明によれば、一つの接点が故障した場合の取り替えに必要な費用を最小とするのみならず、取り替えに要する時間を最小にすることができ、安価な複合型ガス絶縁開閉装置を提供することができる。
また、本発明によれば、２重母線構成の送電系に対して、その本来の意味を損なうことなく適用可能な複合型ガス絶縁開閉装置を提供することができる。
【図面の簡単な説明】
【図１】本発明の第１の実施の形態による複合型ガス絶縁開閉装置の断面図。
【図２】図１に示すＡ部の詳細を表す接地装置の可動電極と通電摺動電極収納ケースの断面図。
【図３】本発明の第２の実施の形態による複合型ガス絶縁開閉装置の断面図。
【図４】本発明の第３の実施の形態による複合型ガス絶縁開閉装置の断面図。
【図５】本発明の第４の実施の形態による複合型ガス絶縁開閉装置の断面図。
【図６】図５のＢ部の詳細を示す拡大断面図。
【図７】図５のＣ部の詳細を示す拡大断面図。
【図８】従来の複合型ガス絶縁開閉装置の断路器接点、接地装置接点近傍を示す正面断面図。
【符号の説明】
３０…複合型ガス絶縁開閉装置
３１，３２，５７…固定電極
３３，３４，５８…可動電極
３５，３６…断路器接点
３７，３８，４２，５０…絶縁容器
３９，４０…断路器
４１…機構箱
４３…遮断器
４４，４５，４６…外部端子
４７…遮断器接点
４８…駆動機構
４９…金属容器
５４，５５…隔壁
５６…接地装置
５８…支点
５９…通電摺動電極収納ケース
６０ａ，６０ｂ…パッキン
６１…切り欠き
６２ａ〜６２ｃ…通電摺動電極
６３ａ，６３ｂ…絶縁パイプ
６４ａ，６４ｂ…ガス密度監視装置
６５ａ〜６５ｄ…ガスバルブ
６６ａ，６６ｂ…ガス配管
【図１】
0004460801.tif 000002
【図２】
0004460801.tif 000003
【図３】
0004460801.tif 000004
【図４】
0004460801.tif 000005
【図５】
0004460801.tif 000006
【図６】
0004460801.tif 000007
【図７】
0004460801.tif 000008
【図８】
0004460801.tif 000009